(57)【要約】      （修正有）【課題】家財、人の重大な損傷を防ぎ、地震の全方向に揺れに効果のあり、構造の複雑化、手間コストが上昇しない工法の提供。【解決手段】筋交い３０端部に筋交い３０と一体化する制震金物１Ｃを弾性体又は粘弾性体を介して構造体側金物１Ａにネジ釘等で設置固定する。筋交い一体型金物及び、桁行方向と張間方向にバランスよく該構造壁を設置する。筋交い一体型金物と同種の金物を隅柱や耐力壁柱脚部に設置し、縦方向の地震の揺れにも効果的に対応させ、ＸＹＺ全方向に効果を持つ制震工法。【選択図】図１
2008121388.tif 000002
【特許請求の範囲】
【請求項１】
木造住宅等に於ける構造的強度や耐震性を高める為の壁内に対角線に設置する筋交い端部に固定して取り付ける金物と、該構造材側に固定設置する金物及び該構造材側金物と筋交い側金物間に介在した弾性体又は粘弾性体とから構成され、
前記弾性体及び粘弾性体は木材とほぼ同等の硬さ、強度、耐震性を有し、小中規模程度の地震などの揺れには摺動変形せず耐震性を保持し、一定以上の大きな地震などの揺れエネルギーが加わった場合に摺動変形し揺れを減じる弾性、粘弾性を持ち、すなわち該金物を取り付けた筋交いは耐震から制震へ効果的且つ自動的に機能変化する水平方向垂直両方向の地震の揺れに効果を有する耐震制震の両機能を有する一体型金具。
【請求項２】
前記、筋交い側金物と前記構造側金物と前記弾性体又は粘弾性体が一体化している請求項１の金物。
【請求項３】
請求項１が組み込まれている壁。
【請求項４】
請求項１若しくは請求項２が組み込まれている請求項３の壁を張間方向と桁行方向に配置し、全方向に対する地震時の揺れに耐震制震両効果を発揮する木造住宅の耐震制震構造。
【請求項５】
請求項１請求項２請求項３請求項４請求項６請求項７請求項８等、本発明で使用される小中規模の地震揺れエネルギーでは摺動変形せず木材と同等の強度を持ち耐震性を保持し、中規模以上の地震揺れエネルギーには摺動変形し揺れエネルギーを減衰する特性を持つ弾性体又は粘弾性体。
【請求項６】
木造住宅等に於ける隅柱や耐力壁柱脚部にネジ釘等で固定された柱脚側金物と、土台にアンカーボルト等で固定された土台側金物及び柱脚部金物間に介在した弾性体又は粘弾性体とから構成され、前記弾性体及び粘弾性体は請求項５の性質を持ち、小中規模程度の地震などの揺れには摺動変形せず耐震性を保持し、一定以上の大きな地震などの揺れエネルギーが加わった場合に摺動変形し揺れを減衰する。すなわち該金物を取り付けた柱脚は耐震から制震へ効果的且つ自動的に機能変化する、縦方向の地震の揺れに効果を有する耐震制震両機能を有する柱脚土台を接合する金物。
【請求項７】
木造住宅に於ける基礎と土台間に請求項５の特性を持った弾性体又は粘弾性体を接着剤等で固定設置された地震時の揺れエネルギーを減衰するパッキン。
【請求項８】
請求項４に請求項６、請求項７、を併せ持つ木造住宅に於ける耐震制震両機能を持つ工法。
【発明の詳細な説明】
【技術分野】
【０００１】  本発明は、木住宅等に於ける地震被害を減じる金物及び構造に関する。
【技術背景】
【０００２】  従来の木造住宅に於ける地震の構造的対策は主に耐震構造であったが、阪神淡路大震災で住宅の構造自体に被害が無くとも室内の家具等の転倒下敷きになり多くの死傷者が出たことにより（非特許文献１、３０頁参照）、以後木造住宅でも免震構造（非特許文献１、４８頁参照）が利用されるようになり、最近では制震技術（特許文献１）も利用されるようになったが、これら構造技術には利点もあるが、問題点もある。
【０００３】  従来の木造住宅に於ける構造的地震対策の問題点を説明する。
木造住宅で多く使われている耐震構造の問題点は、揺れ自体を減じる構造でない為住宅自体に損傷が無くとも室内の家具などの転倒下敷きにより死傷者が出る可能性が多分にある。また、耐震性能に比例し、窓などの開口部を小さくし壁を多く作る必要があるなどの制約がある。
【０００４】  次に、従来の免震構造の問題点を説明する。
現在多く利用されている免震工法は、基礎に設置をした積層ゴムに住宅本体を支承し、地震時に最大５０〜６０ｃｍ水平方向に移動し地震の揺れを減じる方法である。
問題点は、水平方向にしか効果がなく、地震はあらゆる方向に揺れる為、たとえば阪神淡路大震災の様な、冷蔵庫が宙に舞い天井に突き刺さった様な縦方向の揺れには効果がない。また、価格は３００万円〜５００万円位と高額である。
【０００５】  従来の木造制震工法の問題点は、小さい地震時に制震が作用し大きな地震時の揺れには従来の耐震構造で対応する構造であり、小さい荷重で制震が作用すれば初期の免震工法で問題になった、少しの風でも家全体が揺れ、家の中の人は気分が悪くなり実用に耐えない状況であった。大きな地震時の揺れにこそ制震が作用し揺れを減じなければ、地震対策としての効果、意味がない。（特許文献１、「課題」「解決手段」箇所参照）。
【０００６】  従来の木造制震工法のもう一つの問題点は、制震工法のみでは建築基準法の建築確認に合致しない為、耐震構造を併用しなければならず、耐震効果と制震効果が相殺され効果が余り期待できない。また、重複設置の為構造が複雑化し手間とコストもアップする。（非特許文献、２参照）
【０００７】
【非特許文献１】  「耐震、免震、制震がわかる本」清水建設免制震研究会著、１９９９年、
【特許文献１】  特許出願２０００−５２５２７号公報、効果、解決手段頁
【非特許文献２】  ジーバ工法、パンフレット、株式会社アイ・エム・エー２００６年
【発明の開示】
【発明が解決しようとする課題】
【０００８】  以上に述べたように従来の木造耐震方法では、揺れを減じる効果はないため住宅自体に損傷がなくとも中の家財、人に重大な損傷が出る可能性が高い。また、従来の免震方法では、地震は全方向に揺れがあるにも拘らず水平方向しか効果がなく、且つ高価である。また、従来の制震方法は十分な効果がなく、また、建築確認に合格するため耐震工法と併用が必要で、構造の複雑化、手間コストが上昇する。【０００９】  本発明は、これら問題解決することを目的とする。
【課題を解決するための手段】
【００１０】  そして第一の解決手段は、本発明は上記目的を達成する為に、構造的強度並びに耐震を目的とした木造壁内に斜め対角線上に設置する筋交い端部に、筋交いと一体化して本発明制震金物をボルト等で固定設置、そして構造体側にも金物をねじ釘等で設置固定し、筋交い側金物と構造側金物の間の弾性体又は粘弾性体が接着固定され、該弾性体又は粘弾性体は木材とほぼ同等の硬さ、強度、耐震性を有し、小中規模程度の地震などの揺れには摺動変形せず耐震性を保持し、一定以上の大きな地震などの揺れエネルギーが加わった場合に摺動変形し揺れを減じる弾性、粘弾性特性を持ち、すなわち該金物を取り付けた筋交いは耐震から制震へ効果的且つ自動的に機能が変わる。また、水平方向垂直両方向の地震の揺れにも効果を有する耐震制震の両機能を有する筋交い一体型金物及び壁構造が上記問題を解決する。【００１１】  また、第二の解決手段は、上記壁を桁行方向と張間方向にバランスよく設置をすれば、全方向の地震の揺れに対応できる。【００１２】  次に、第三の解決手段は、木造住宅で地震時に一番荷重がかかる隅柱や耐力壁柱脚部にネジ釘等で固定された柱脚側金物と、土台にアンカーボルト等で固定された土台側金物及び柱脚部金物間に介在した弾性体又は粘弾性体とから構成され、前記弾性体及び粘弾性体は、小中規模程度の地震などの揺れには摺動変形せず耐震性を保持し、一定以上の大きな地震などの揺れエネルギーが加わった場合に摺動変形し揺れを減衰する特性を持つ。すなわち該金物を取り付けた柱脚は耐震から制震へ効果的且つ自動的に機能変化し、縦方向の地震の揺れに効果を有する耐震制震両機能を有する柱脚土台を接合する金物を設置および基礎と土台間に請求項５の特性を持った弾性体又は粘弾性体で出来たパッキンを接着剤等で固定設置する【００１３】  付け加えとして、本発明の根幹的解決手段は、木材とほぼ同等の強度、耐震性を有し、小中規模程度の地震などの揺れには摺動変形せず耐震性を保持し、一定以上の大きな地震などの揺れエネルギーが加わった場合に摺動変形し揺れを減衰する弾性、粘弾性特性を持ち耐震から制震へ効果的且つ自動的に機能変化する弾性体又は粘弾性体を使用することにある。【００１４】  上記第一の解決方法の作用は、本発明で使用される該弾性体又は粘弾性体は木材とほぼ同等の強度、耐震性を有し、小中規模程度の地震などの揺れには摺動変形せず耐震性を保持し、一定以上の大きな地震などの揺れエネルギーが加わった場合に摺動変形し揺れを減じる弾性、粘弾性を持つ、すなわち該性質を持つ弾性体を利用する事により、従来の制震構造のように耐震作用と制震作用が相殺し効果が低減する事はない。また、該性質の弾性体又は粘弾性体を金物及び筋交いを組み合わせる事により、耐震制震両機能を有する一体化された筋交いが可能であり、既存の筋交い施工の延長線上で簡便に且つ安価に設置が可能である。また、該金物を壁内対角線上にある筋交いに設置する事により耐震性と共に制震性能も水平垂直両方向に対する揺れに対応できる。【００１５】  また、第二の解決方法の作用は、本発明金物を対角線筋交いに設置する事で水平垂直方向にも耐震制震効果があり、また、該構造壁を張間方向と桁行方向にバランスよく配置する事により耐震制震両効果が全方向の揺れに効果を発揮する。【００１６】  次に、第三の解決方法は、従来の免震制震工法では余り考慮されていなかった縦揺れに対する減衰効果を発揮する。
【発明の効果】
【００１７】  以下、発明の効果を図１〜図５に基づいて説明する。【００１８】  図に於いては、３０筋交い端部に１Ｃ筋交い側金物をイ、ボルトで固定し、１Ａ構造体側金物を土台又は梁にロねじ釘等で固定し、１Ｃ筋交い側金物と１Ａ構造体側金物の間に１Ｂ弾性体又は粘弾性体が接着されている。【００１９】図６を説明する。地震時などに主に荷重が掛かる隅柱や耐力壁柱脚部４０にロネジ釘等で固定された柱脚部側金物２Ｃと、５０土台部にアンカーボルトで固定された土台側金物２Ａ及び強力な接着剤等で固定された弾性体又は粘弾性体２Ｂ及び５０土台と６０基礎間に接着固定された請求項５の特性を持つ弾性体又は粘弾性体で作られたニパッキンは、中規模以上の縦揺れ地震エネルギーを摺動変形等により効果的に揺れを減衰する。【００２０】  本発明に使用される１Ｂ弾性体または粘弾性体は、木材と同等の強度、耐震性を持ち、小中規模の地震時の揺れには摺動移動せず耐震性を保持し、一定以上の大きな地震などの揺れエネルギーが加わった場合に１Ｂ弾性体または粘弾性体は図４のように摺動移動し揺れエネルギーを減じる。本発明は耐震機能と制震機能を効果的且つ自動的に機能変更し、地震時の被害を最小限に止める。【００２１】  本発明金物を３０筋交いに設置する事により水平垂直方向に、また、図５に示すとおり本発明壁を張間方向桁行方向に設置する事により、全方向の揺れに効果を発揮する。
【発明を実施するための最良の形態】
【００２２】  本発明金物で製作された筋交い入りの壁を、桁行方向張間方向にバランスよく設置すれば、本発明制震金物は、耐震性を損なわないため、全方向に効果を有する最高耐震性能等級３を容易に確保の上に、大きな揺れエネルギーも減じる制震効果も併せ持つ理想的な木造耐制震工法である。
【産業上の利用可能性】
【００２３】  本発明は、特に従来の耐震工法免震工法の欠点を解決し安価に、また、従来の技術で施工できる。【００２４】  また、耐震制震両機能を筋交いに一体として組み込んだ利点は大きく、耐震作用と制震作用の効果相殺を回避し、また、建築基準に合致の上簡易に施工でき、且つ、安価で利用できる。
【図面の簡単な説明】
【００２５】
【図１】本発明の壁構造示す壁構造図
【図２】同金物形態を示す立体図
【図３】同金物構造を示す部分断面図
【図４】同摺動作用を示す金物断面図
【図５】同構造壁の配置を示す平面図
【図６】耐力壁柱脚部金物立体図
【図７】耐力壁柱脚部金物断面図
【符号の説明】
【００２６】      １０  柱
２０  土台または梁
３０  筋交い
１Ａ  構造体側金物
１Ｂ  弾性体または粘弾性体
１Ｃ  筋交い側金物
イ  筋交い側金物１Ｃと筋交い３０を固定するボルト
ロ  ねじ釘
【図１】
2008121388.tif 000003
【図２】
2008121388.tif 000004
【図３】
2008121388.tif 000005
【図４】
2008121388.tif 000006
【図５】
2008121388.tif 000007
【図６】
2008121388.tif 000008
【図７】
2008121388.tif 000009
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
木造住宅等に於ける構造的強度や耐震性を高める為の壁内に対角線に設置する筋交い端部に固定して取り付ける金物と、該構造材側に固定設置する金物及び該構造材側金物と筋交い側金物間に介在した弾性体又は粘弾性体とから構成され、
前記弾性体及び粘弾性体は木材とほぼ同等の硬さ、強度、耐震性を有し、小中規模程度の地震などの揺れには摺動変形せず耐震性を保持し、一定以上の大きな地震などの揺れエネルギーが加わった場合に摺動変形し揺れを減じる弾性、粘弾性を持ち、すなわち該金物を取り付けた筋交いは耐震から制震へ効果的且つ自動的に機能変化する水平方向垂直両方向の地震の揺れに効果を有する耐震制震の両機能を有する一体型金具。
【請求項２】
前記、筋交い側金物と前記構造側金物と前記弾性体又は粘弾性体が一体化している請求項１の金物。
【請求項３】
請求項１が組み込まれている壁。
【請求項４】
請求項１若しくは請求項２が組み込まれている請求項３の壁を張間方向と桁行方向に配置し、全方向に対する地震時の揺れに耐震制震両効果を発揮する木造住宅の耐震制震構造。
【請求項５】
木造住宅等に於ける隅柱や耐力壁柱脚部にネジ釘等で固定された柱脚側金物と、土台にアンカーボルト等で固定された土台側金物及び柱脚部金物間に介在した弾性体又は粘弾性体とから構成され、前記請求工１の弾性体及び粘弾性体と同じ性質を持ち、小中規模程度の地震などの揺れには摺動変形せず耐震性を保持し、一定以上の大きな地震などの揺れエネルギーが加わった場合に摺動変形し揺れを減衰する。すなわち該金物を取り付けた柱脚は耐震から制震へ効果的且つ自動的に機能変化する、全方向の地震の揺れに効果を有する耐震制震両機能を有する柱脚土台を接合する金物。
【請求項６】
住宅に於ける基礎と土台間に請求項５の特性を持った弾性体又は粘弾性体を接着剤等で固定設置された地震時の揺れエネルギーを減衰するパッキン。
【請求項７】
請求項４に請求項６、請求項７、を併せ持つ木造住宅に於ける耐震制震両機能を持つ工法。